(57)【要約】【課題】従来からマッサージ器として種々の提案がされているが、従来のマッサージは特に皮膚が薄く弾力性が小さい頭皮や膝周辺において肌を傷つけたり、頭髪を傷めたりするという欠点があった。本発明は頭部や膝のように皮膚が薄く弾力性の小さい部位においても皮膚に傷を付けることがない小型、安価なマッサージ器の提供を目的としている。【解決手段】  駆動手段と、前記駆動手段の機枠に回動可能に支承され前記駆動手段の駆動軸と同軸で連結された回転盤と、前記回転盤上に前記回転盤の回転中心に対し偏芯した位置に回転可能に配設した主軸と、前記主軸の一端に回転不能に支持された揉み部材とを有し、前記駆動手段の機枠と前記主軸とを回転伝導手段によって係合せしめ、前記回転盤の回転方向と前記主軸の回転方向が互いに逆方向となるようにし、前記揉み部材が前記駆動手段の機枠に対して回転しないで円運動のみをほぼ一平面上で行うように構成している。                                                                            【選択図】図１
2011125514.tif 000002
【特許請求の範囲】
【請求項１】
駆動手段と、前記駆動手段の機枠に回転可能に支承され前記駆動手段の駆動軸と同軸で連結された回転盤と、前記回転盤上に前記回転盤の回転中心に対し偏芯した位置に回転可能に配設した主軸と、前記主軸の一端に回転不能に支持された揉み部材とを有し、前記駆動手段の機枠と前記主軸とを回転伝導手段によって係合せしめ、前記回転盤の回転方向と前記主軸の回転方向が互いに逆方向となるようにし、前記揉み部材が前記駆動手段の機枠に対して回転しないで円運動のみをほぼ一平面上でするようにせしめたことを特徴とするマッサージ器。
【請求項２】
前記回転伝導手段が歯車伝導手段であって、前記回転盤の回転中心に同軸で前記駆動手段の機枠に固着した固定歯車と、前記主軸の一端に固着した主歯車と、前記固定歯車と前記主歯車の夫々と噛み合い前記回転盤上に支承した軸に回転可能にした中間歯車とを有し、前記固定歯車と主歯車の歯車比が１：１となしたことを特徴とする請求項１に記載のマサージ器。
【請求項３】
前記揉み部材が前記回転盤の回転中心に対して回転する円運動の直径が１０mm〜１６mmであることを特徴とする請求項１または請求項２に記載のマッサージ器。
【請求項４】
前記マッサージ器に押付け手段を介して係合する支持部材を有し、前記揉み部材と前記支持部材が皮膚と係合したとき、前記マッサージ器が支持部材に対して軸方向に移動可能と（または）軸方向に直交する方向へ揺動可能となしたことを特徴とする請求項１ないし請求項３のいずれか一項に記載のマッサージ器。
【発明の詳細な説明】
【技術分野】
【０００１】
本発明は身体のマッサージ器に関し、特に頭部や膝周辺のように皮膚表面と骨との距離が小さく（以下、皮膚が薄いと言う）また弾力性が乏しくて器具によるマッサージが困難とされている頭皮や膝周辺においてもマッサージを効果的に行うことができるマッサージ器に関する。
【背景技術】
【０００２】
従来から身体のマッサージ器として種種の提案がなされているが、特に近年は頭髪の抜け毛抑制や育毛対策としてマッサージの実施が奨励され、その効果を向上させるための手段として下記の先行文献に記載のマッサージ器が提案されている。
【０００３】
しかしながら、従来から提案されているマッサージ器は大型・高価であるため家庭で容易に使用することが困難であったり、頭皮や膝は他の部位と異なり皮膚が薄くて肌に弾力性が乏しいため揉み部材が患部に均一に接触しなかったりして痛みを感じたり、肌を傷つけたり、頭髪を傷めたりして十分なマッサージ効果が得られないという欠点があった。
【先行技術文献】
【特許文献】
【０００４】
従来から提案されているマッサージ器としては、次に記載のものがあった。
【特許文献１】特開平10-216185号公報は、頭皮のマッサージ専用であるが、以下のような問題があった。（１）装置が大型、かつ高価となって容易に家庭に設置することが困難であった。（２）装置には弾性体と偏芯軸を用いて弾性体を変形させて円運動をさせているため動力損失が大きく不経済であった。（３）揉み部材を弾性体で支持し、その変形を利用しているため耐久性に問題があった。（４）揉み部材が頭部の広範囲を覆っているため個人差のある頭の大きさ・形状に対応して頭皮を均一にマッサージすることが困難であった。
【０００５】
【特許文献２】特開平5-42192号公報は、揉み部材に衣服が巻き込まれることを防止したものであるが、揉み部材を取り付けた傾斜軸に接続子が回転可能にされているものの接続子は傾斜軸の傾きをもって円錐運動をする。したがって、揉み部材はすりこぎ運動をすることになり揉み部材が患部に均一に当たらないため、皮膚が薄くて弾性が小さい頭皮や膝周辺のマサージにおいては、痛みを感たり皮膚を傷めるたりする場合があった。
【０００６】
【特許文献３】特開2003-111811号公報は、頭皮のマッサージ専用であり、振動発生手段によって刷毛または突起を頭皮の垂直方向に並進運動をさせて頭皮の表面のみを刺激するものでありマッサージの効果が小さかった。
【発明の概要】
【発明が解決しようとする課題】
【０００７】
本発明は、前記のような従来の欠点に鑑み、頭皮や膝などにおいても傷を付けることがない、血行促進効果の大きい安全で小型・安価なマッサージ器を提供することを目的としている。
【課題を解決するための手段】
【０００８】
本発明は以上の課題を解決するための第一の解決手段として次の構成とした。
駆動手段と、前記駆動手段の機枠に回転可能に支承され前記駆動手段の駆動軸に同軸で連結された回転盤と、前記回転盤上に前記回転盤の回転中心に対し偏芯した位置に回転可能に配設した主軸と、前記主軸の一端に回転不能に支持された揉み部材とを有し、前記駆動手段の機枠と前記主軸とを回転伝導手段によって係合せしめ、前記回転盤の回転方向と前記主軸の回転方向が互いに逆方向となるようにし、前記揉み部材が前記駆動手段の機枠に対して回転をしないで一平面上で円運動のみを行うように構成している。
【０００９】
第二の解決手段は、前記揉み部材が円運動をする直径を１０〜１６ｍｍの範囲に設定することで、頭皮に痛みを感たり、頭皮の赤みの変化も適切なマッサージ効果が得られる。
前記最適直径の決定にあたって、マッサージをしたとき人が感じる心地良さや頭皮の赤みの変化について数人の評価を行なった。前記範囲を外れて、直径が５〜８ｍｍと小さいと、マッサージに物足りなさを感たり頭皮の赤みの変化も小さかった。前記直径が２０ｍｍを超えると、痛みを感じることがあったり頭皮の赤みの変化が大きく不安を感じた。前記直径が１８ｍｍのときは前記同様に、やや不安を感じた。
前記円運動の直径１０〜１６ｍｍは、前記評価者の頭皮の横移動距離１２mm〜１６mmとほぼ近い値であった。なお、横移動距離とは痛みを感じないで頭皮が頭蓋骨に対して容易に移動できる距離で、図８に示す方法で測定した。
【００１０】
さらに、揉み装置Ｍ（図１参照）を頭皮に対して支持する支持部材を有し、前記揉み装置Ｍと支持部材の間に抗して係合する押し付け手段（ばね要素）を配設して、前記揉み装置Ｍの揉み部材が頭皮に押し付けられたとき、前記押し付け手段（ばね要素）に抗して前記支持部材が頭皮に接触する。もし、頭皮の横移動距離が揉み部材の円運動の直径を下回るときは前記揉み装置Ｍを揺動させるように前記押し付け手段（ばね要素）が変位するよう構成する。
【発明の効果】
【００１１】
以上の説明から明らかなように、本発明にあっては次に列挙する効果が得られる。
（１）駆動装置によって回転駆動される回転盤の回転中心に対し偏芯した位置に揉み部材を支持する主軸を回転可能に配設するとともに、前記回転盤の回転方向と主軸の回転方向を互いに逆方向となし、前記主軸が前記駆動装置に対して回転しない構成としている。したがって、前記主軸に回転不能に支持された揉み部材は回転しないでほぼ一平面上で円運動のみが可能であるため、患部を均一に押し付けることが可能となり、頭部や膝周辺のように皮膚が薄く弾性の小さい患部のマッサージにおいても痛みを感じず、皮膚を傷つけることもなく、安全にマッサージを行うことができる。
【００１２】
（２）また、回転伝導手段として歯車または捲き掛け伝導で構成でき、従来技術のように弾性体などを変形させる力を必要としないため動力損失の小さい省エネ、かつ耐久性の良いマッサージ器を提供することができる。さらに、装置が小型となり携帯も可能で、かつ安価なものとなる。
【００１３】
（３）揉み部材の円運動の直径を、比較的横移動距離の小さい頭皮の値に設定しているので他の部位のマッサージにおいても、揉み部材と皮膚との過度の摩擦を防止でき皮膚を傷つけることもなく、かつ心地よいマッサージが可能となり、血行の循環が促される。
【００１４】
（４）前記支持部材の端面が頭皮に接触するまで前記押し付け手段（ばね要素）が所定の力で軸方向に移動可能となし、かつ、皮膚の横移動距離が揉み部材の円運動の直径を下回るときは、前記押し付け手段（ばね要素）の部分が変位して前記揉み装置が揺動可能としている。したがって、頭の大きさ、形状、皮膚の横移動距離などの個人差に対応できるため揉み部材を皮膚に適切な押圧力で接触させることが可能となり、前記（３）項の効果を更に向上させることができ、手のひらでマサージをするような心地よい感触が得られる。
【発明を実施するための形態】
【００１５】
以下、本発明の実施の形態を図に基づいて、頭皮のマッサージ器として使用した場合の実施例について説明する。
【実施例１】
【００１６】
図１は本発明の一実施形態の断面図、図２は図１のＸ−Ｘ断面図で歯車の係合と回転方向を示す説明図、図３は図１の装置を頭部に当てマッサージをしている状態を示す断面図、図４は図１における揉み部材を矢印Ｚから見た平面図である。
モーター１と減速機２から構成される駆動装置Ａの機枠がフレーム４にボルト２ｃで一体的に固着されている。フレーム４にはベアリング３を介して回転盤５が回転可能に配設されている。前記減速機２から突出し先端にセレーション２ｂを有する駆動軸２aが、フレーム４の中心すなわち回転盤５と同軸の穴４aを貫通し、前記回転盤５の中心に形成したセレーション５aと係合している。
【００１７】
前記フレーム４の穴４aと同軸に固定歯車４ｂが一体的に構成されている。また、前記回転盤５には、その中心から所定の間隔（本実施例では半径を８mmとしているが、この間隔が揉み部材の円運動の半径となる。）離れた位置にある貫通穴５ｂと回転可能に主軸６が配設され、前記主軸６の一端には主歯車７が止着されている。前記固定歯車４ｂと主歯車７の歯数比は１：１に構成されている。前記固定歯車４ｂと前記主歯車７のそれぞれと係合する中間歯車８が、回転盤５に支承した中間軸９に回転可能に配設されている。
カバー２１は布で筒状に形成され、その両端がフレーム４と面板１１の外周にそれぞれ止着され、マッサージ中に衣服や頭髪などが回転部に巻き付かないようにされている。
【００１８】
前記主軸６のもう一方の端にはジョイント１２がピン１３を介して図１において左右方向に所定の角度揺動自在に取り付けられている。前記ジョイント１２には揉み部材１０を取り付ける面板１１がピン１４を介して取り付けられ、前記ピン１３による揺動方向に対して直角方向に所定角度揺動できる。前記面板１１には、揉み部材１０が座金１６を介してボルト１５で固着されている。なお、主軸６の溝に装着された止め輪６ｂ、座金６ａは、揉み部材１０からのスラスト力を受ける。
揉み部材１０には、先端が半球状からなる複数個の突起１０ａが形成され、マッサージの際に頭皮と係合する。前記揉み部材１０の突起１０ａの反対側に１個の突起１０ｂが形成され、前記面板１１の穴１１ａと係合して、揉み部材１０が面板１１に対して回転するのを防止している。
前記で構成される装置のみでも本発明の課題の達成が可能である。（以下、前記の構成を揉み装置Ｍという。）
【００１９】
前記の揉み装置Ｍのフレーム４に複数本のピン１７（本実施例では３本）がナット１７ａで止着され、前記ピン１７と筒状の支持部材１９の穴１９ｃとが係合している。前記支持部材１９とピン１７の鍔１７ｂとの間には圧縮コイルばね１８が装着され、前記揉み装置Ｍが前記圧縮コイルばね１８に抗して所定の力で移動自在に構成されている。
カバー２０は前記揉み装置Ｍの駆動装置Ａを覆い支持部材１９にボルト１９ａで止着されている。
【００２０】
次に本発明のマサージ器の作動について説明する。
モーター１に電源（図示せず）が投入され減速機２の駆動軸２ａに係合された回転盤５が図２において矢印Ｂ方向へ回転すると、回転盤５上に偏芯して回転可能に支承された主歯車７と、中間歯車７の軸心が矢印Ｂ方向へ移動することになり、固定歯車４ｂと噛み合う中間歯車８がＤ方向へ回転しながら固定歯車４ｂの周りを回動し、前記中間歯車８と噛み合う主歯車７がＣ方向へ回転する。すなわち、前記回転盤５がＢ方向に１回転すると、主軸６は回転盤５とは逆方向のＣ方向に１回転することになり、主軸６は前記駆動装置Ａに対し回転しないことになる。以上の動作によって主軸６に回転不能に支持された揉み部材１０は回転をしないで円運動のみをほぼ一平面上で行うことになる。
【００２１】
次にカバー２０または支持部材１９を手（図示せず）で持って図３に示すように揉み部材１０が頭皮に押し付けられると、支持部材１９の先端１９ｂが頭皮に当たるまで圧縮コイルばね１８が圧縮されて、突起１０aが頭皮に押し付けられて、前記圧縮コイルばねによる押し付け力でマッサージが行われる。
このとき、揉み部材１０が頭皮に当たると、揉み部材１０はジョイント１２、面板１１の部分で揺動して頭の形状に沿って均一に当たる。前記適切な押し付け力は、個人差があるが５００〜１５００ｇに設定するのが好ましい。なお、本実施例では８００ｇ程度としている。
【００２２】
本実施例では、回転伝導手段として固定歯車と主歯車の間に中間歯車を介した構造としたが、歯車の代わりにプーリーとタイミングベルト等の巻き掛け伝導を使用してもよい。この場合は、本実施例で使用した中間歯車は不要となる。
【００２３】
本実施例では前記揉み部材１０の直径を８０ｍｍとしたが、５０〜１２０ｍｍの範囲が好ましい。前記揉み部材１０の直径が頭全体を覆うように大きくなると、揉み部材１０の動きが規制されるためマッサージの効果が低下するので好ましくない。
【００２４】
本実施例では、前記揉み部材１０の材質として柔軟性を有するゴムを使用したが、プラスチック等で成形してもよい。
前記揉み部材１０の突起１０ａは図４に示すように円周状に所定の間隔で複数個配置され、その先端は半円球状に湾曲した凹形状をしており、前記半円球の半径は頭の大きさより若干大きくしてある。
前記突起１０ａは根元が先端より大きいテーパー状とし、先端は半径1ｍｍから２ｍｍの半球状とするのが好ましい。なお、本実施例では、高さが６ｍｍ、先端は半径１．５ｍｍの半球状としている。突起１０ａの形状は揉む部位によって径や長さを変えたものに交換することができる。前記半円球の半径は頭部に合わせておけば膝、その他の部位のマッサージにおいても使用可能である。
【００２５】
前記揉み部材１０の円運動の回数は本実施例では１００回／分としたが、心地よいと感じる回数は個人差があるため、６０〜１５０回／分程度で自由に可変できるようにしてもよい。
【実施例２】
【００２６】
以下、本実施例の形態を図５に基づいて説明する。なお、説明は実施例１と異なる部分のみ符号をつけて行う。
実施例１の形態では、揉み部材１０を頭部に押付けたとき揉み部材１０に止着した面板１１が主軸６に対して揺動するようにしたが、本実施例２では面板１０２を主軸１０１に形成した２面取り１０１ａと面板１０２に形成した２面取り１０２ａを係合させてナット１０４で止着している。揉み部材１０３は、前記主軸１０１の先端のボルト１０１ｂとナット１０６とによって面板１０２に止着されている。
【００２７】
本実施例においては、揉み装置Ｍの揉み部材１０３の突起１０３ａが頭部に押し付けられると、圧縮コイルばね１０７が圧縮されて支持部材１０８の先端１０８ａが頭部に接触する。もし、揉み部材１０３が頭の形状に沿って傾くと前記圧縮コイルばね１０７が変位して揉み装置Ｍの軸心が傾斜する。（図示せず）
前記揉み装置Ｍの軸心が傾斜することによって、頭の大きさ、形状、皮膚の横移動距離などの個人差に対応できるため揉み部材を皮膚に適切な押圧力で接触させることが可能となる。
【実施例３】
【００２８】
本実施例は、頭皮のマッサージ専用として構成したもので、マッサージ時間の短縮のために頭の広範囲を同時にマッサージができるようにしたものである。
以下、本実施例の形態を図６、図７に基づいて説明する。
マッサージ器２０４は実施例１のマッサージ器を枠２０１に３個配設したものである。前記マッサージ器が、前記枠２０１に設けた穴２０１ｂを貫通し、前記機枠に一体的に止着したブラケット２０１ａと、マッサージ器２０４から突出したピン２０２によって揺動可能に配設されている。
マッサージの際に、枠２０１の両側に形成した穴２０１ｃに手を入れ取手２０３を持って（図示せず）マッサージ器の揉み部材が頭部に押し付けられると、前記夫々のマサージ器２０４が頭の形状に対応して前記ピン２０２の部分で揺動し、頭皮に均一に接触するような構造となっている。本実施例では、３個のマサージ器２０４を配設したが、２個または、３個を越える数量でもよい。
本実施例では、３個のマサージ器２０４を頭部に対しての位置を固定したが、３個のマサージ器をつけた枠を頭部に対して回転手段を用いてゆっくりと回転移動するような構成として、頭皮全体をマサージすることもできる。
【図面の簡単な説明】
【００２９】
【図１】本発明を実施するための一実施形態を示す装置の断面図である。
【図２】図１のＸ−Ｘ断面図で歯車の噛み合いと回転方向を示す説明図である。
【図３】図１の装置を頭部に当てマッサージをしている状態を示す断面図である。
【図４】図１における揉み部材を矢印Ｚから見た平面図である。
【図５】本発明の別の実施例２を示す断面図である。
【図６】本発明の別の実施例３を示す断面図である。
【図７】図６の矢印Ｙから見た展開平面図である。
【図８】皮膚の横移動距離の説明図である。
【符号の説明】
【００３０】
１  モーター
２  減速機
３  ベアリング
４  フレーム
５  回転盤
６  主軸
７  主歯車
８  中間歯車
９  中間軸
１０  揉み部材
１１  面板
１２  ジョイント
１３  ピン
１４  ピン
１５  ボルト
１６  座金
１７  ピン
１８  圧縮コイルばね
１９  支持部材
２０  カバー
２１  カバー
【図１】
2011125514.tif 000003
【図２】
2011125514.tif 000004
【図３】
2011125514.tif 000005
【図４】
2011125514.tif 000006
【図５】
2011125514.tif 000007
【図６】
2011125514.tif 000008
【図７】
2011125514.tif 000009
【図８】
2011125514.tif 000010